(57)【要約】【課題】磁気的危険空間の磁気特性を計測し、所定の磁束密度や磁気力の大きさを計測し、前記磁気的危険空間の磁気特性を計測し、磁束密度や磁気力の大きさが所定の値を超えた場合に、人が感知できる警告を発する磁気特性警告器および警告システムを提供する。【解決手段】前記磁気特性警告器１を人が超電導磁石装置６が発生する磁場空間に設置または搬入する代表の被物体もしくは各被物体２７，２８，３０毎に付着体３０で付帯させることにより、被物体を所定の値以上の磁場空間に設置または搬入する際に、人が感知できる音響的や、視覚的や、振動等の機械的な警告を磁気特性警告器が警告を発することができ、かつ人為的ミスで被物体を所定の値以上の磁場空間となる部位に置き忘れた場合においても、磁場発生と同時に磁気特性警告器が警告位置情報を発信することができるで、磁気的損傷を未然に防止することができる。【選択図】図３
2016044975.tif 000002
【特許請求の範囲】
【請求項１】
磁場や磁気力を発生する磁場発生手段によって生じる漏れ磁場空間の磁気的危険度合いを警告する磁気特性警告器および警告システムにおいて、
少なくとも該磁気特性警告器に磁気特性を計測する磁気特性計測手段と、
該磁気特性計測手段の計測結果を数値演算する演算手段と
該演算手段により磁気的危険度を演算して判断し、警告発生の作動制御を行う制御手段と、
該制御手段で警告発生の作動を制御される警告手段と、
前記各手段へ給電する給電手段と、
他の物体に物理的に付着させる付着手段を備え、
該磁気特性警告器を付着させた被物体、
を備えたことを特徴とする磁気特性警告器および警告システム。
【請求項２】
磁場や磁気力を発生する磁場発生手段によって生じる漏れ磁場空間の磁気的危険度合いを警告する磁気特性警告器および警告システムにおいて、
少なくとも該磁気特性警告器に磁気特性を計測する磁気特性計測手段と、
該磁気特性計測手段の計測結果を数値演算する演算手段と
該演算手段により磁気的危険度を演算して判断し、警告発生の作動制御を行う制御手段と、
該制御手段で警告発生の作動を制御される警告手段と、
前記警告手段に同期して、さらに広角方向に発光する作動する第二の視覚的警告手段と、
前記各手段へ給電する給電手段と、
他の物体に物理的に付着させる付着手段を備え、
該磁気特性警告器を付着させた被物体、
を備えたことを特徴とする磁気特性警告器および警告システム。
【請求項３】
磁場や磁気力を発生する磁場発生手段によって生じる漏れ磁場空間の磁気的危険度合いを警告する磁気特性警告器および警告システムにおいて、
少なくとも該磁気特性警告器に磁気特性を計測する磁気特性計測手段と、
該磁気特性計測手段の計測結果を数値演算する演算手段と、
該演算手段により磁気的危険度を演算して判断し、警告発生の作動制御を行う制御手段と、
該制御手段で警告発生の作動を制御される警告手段と、
位置情報を発信する信号を受信し、３次元的受信位置を数値化する位置測定手段と、
該警告手段の作動に同期した信号と、該位置計測手段で数値化された位置情報信信号とを無線発信する発信手段と、
前記各手段へ給電する給電手段と、
他の物体に物理的に付着させる付着手段を備え、
該磁気特性警告器を付着させた被物体と、
該発信手段からの信号を受信し、少なくとも該警告手段の作動に同期して該磁気特性警告器の位置を演算処理して表示する表示手段、
を備えたことを特徴とする磁気特性警告器および警告システム。
【請求項４】
前記磁気特性測定手段が前記漏れ磁場空間の少なくとも１軸以上の空間軸方向の磁気特性を検知する磁束密度計測素子を複数枚、所定の距離離して固定支持された磁束密度計測素子群であることを特徴とする請求項１および請求項２記載の磁気特性警告器および警告システム。
【発明の詳細な説明】
【技術分野】
【０００１】
本発明は、危険磁場の存在を、その磁束密度や磁気力等の磁気特性値の大きさに応じて警告を発することで認知できる磁気特性警告器および警告システムに関する。
【背景技術】
【０００２】
超電導式や永久磁石式の核磁気共鳴イメージング、核磁気共鳴装置、超電導磁気浮上車両、超電導加速器や電磁石を有する磁場発生装置等の設置空間においては、磁場発生装置運転中の磁石からの漏れ磁場は高く、かつ広範囲であり、人が医療機器や、医療用ガスボンベや、測定機器や通信機器等の電子機器、工具やステール椅子等の被物体を持参して磁場空間内に入る場合、電子機器の誤動作や、スパナ等の磁性体工具の高速吸引等を生じさせる磁気的危険空間が存在する。また、磁場発生装置の励磁前の製作組立や保守点検に使用した電子機器や、作業用ガスボンベや、工具やステール椅子の回収を忘れる人為的なミスが少なからず発生し、磁場発生装置の電磁石を徐々に励磁する際に発生する磁場で、電子機器や工具やステール椅子が磁場発生装置に磁気力で吸引される危険磁場空間が生じる場合がある。
【０００３】
医療検査用の超電導核磁気共鳴イメージングでは、内蔵された超電導磁石の磁場が短時間に消滅するクエンチが発生した場合に生じる、磁場変化が被医療検査人に影響を与えないように、クエンチの発生の兆候を超電導磁石の電気抵抗変化による電圧上昇で検知し、クエンチの発生を事前に警告する装置（特許公開２００７-２１５６３５公報）がある。
【０００４】
ここで、磁気力Fm [N]の計算式を（１）式に示す。体積がV [m3]の磁性物が置かれた空間の磁束密度Bとすると、磁気力Fmは、磁束密度Bと磁気勾配ΔBの積（以下，磁気力係数fm [T2/m]と記す）に比例する。ここで，χは磁化率[-]，μ0は真空透磁率[N/A2]である。
Fm = V・χ・B・ΔB/μ0
= V・χ・fm /μ0  ・・・・・・・・・・・（１）
【先行技術文献】
【特許文献】
【０００５】
【特許文献１】特許公開２００７-２１５６３５公報
【発明の概要】
【発明が解決しようとする課題】
【０００６】
前記引例において前記の構成には、前記磁気的危険空間の磁束密度や磁気力の大きさを計測、検知する機器を付帯した被物体は含まれていないことから、電磁石や永久磁石を内蔵した装置が設置された空間で作業するために搬入する前記被物体に対し、所定の磁束密度や磁気力を超える磁気的危険空間が存在するか否かを警告することができないため、搬入する人が磁気的危険空間の存在を認知できず前記被物体の電子機器が誤動作したり、破損したりすることを未然に防止できなかった。
【０００７】
また、磁場発生装置の励磁前の製作組立や保守点検を行う際、作業用の電子機器や、ガスボンベや、工具や、ステール椅子の回収を忘れた場合に、作業後の磁場発生装置の電磁石を徐々に励磁する際に発生する磁場で、電子機器内の部品が誤動作や破損したり、工具やステール椅子が磁場発生装置に磁気力で吸引され、磁場発生装置を破損したり、人を傷つけることを未然に防止できなかった。
【０００８】
本発明は上記のような問題を解決するためになされたものであり、前記磁気的危険空間の磁気特性を計測し、磁束密度や磁気力の大きさが所定の値を超えた場合に、人が感知できる警告を発する磁気特性警告器および警告システムを提供することを目的とする。
【０００９】
また、磁束密度や磁気力の大きさが所定の値を超えた場合に、警告を発するとともに警告発生を位置・警告認知手段（装置）に発生個所の位置情報とともに無線で発信し、位置・警告認知手段で工具等の置き忘れ位置と該位置が前記磁気的危険空間になったことを認知できる磁気特性警告器および警告システムを提供することを目的とする。
【課題を解決するための手段】
【００１０】
かかる目的を達成するためになされた請求項１記載の磁気特性警告器および警告システムは、少なくとも、磁束密度もしくは磁気力の磁気特性を計測する磁気特性計測手段と、前記磁気特性計測手段への給電と前記磁気特性計測手段で計測した磁気特性値の演算を行う給電・演算手段と、加えては、この演算値と所定の値との比較演算を行い、所定値との大小を判断して磁気的危険度を判断し警告発生を制御する制御手段とを有する給電・演算・制御手段と、前記給電・演算・制御手段で作動制御され、人間が感知できる視覚的警告手段や聴覚的警告手段等の警告手段と、前記手段を駆動させる電気を供給する電源供給手段と、被物体に物理的に付着させる付着手段とを備えたものである。
【００１１】
この結果、本発明の磁気特性警告器および警告システムによれば、人が磁場空間に設置または搬入する代表の被物体もしくは各被物体毎に磁気特性警告器を付着できるので、人為的ミスで被物体を所定の値以上の磁場空間に設置または搬入する際に、前記磁気的危険度に応じて、人が感知できる聴覚的や、視覚的な警告を磁気特性警告器が発することができる。
【００１２】
このため、磁場空間で作業するために設置、搬入する前記被物体に対し、所定の磁束密度や磁気力等の磁気特性を超える磁気的危険空間に侵入する際や、電磁石を励磁する際に磁場空間に磁気的危険空間が生成される際に、被物体の位置が磁気的危険空間内に有ることを警告により感知できるので、前記危険空間内から該当する被物体を外すことにより、前記被物体の電子機器が誤動作したり、破損したりすることを未然に防止することができる。また、磁場発生装置の励磁前の製作組立や保守点検に使用した電子機器や、ガスボンベや、工具や、ステール椅子の回収を忘れた際に、作業後磁場発生装置の電磁石を徐々に励磁する際に発生する磁気的危険空間内に残留したことを警告により認知できるので、前記危険空間内から該当する被物体を外すことにより、電子機器が誤動作したり、破損したり、ガスボンベや、工具やステール椅子が磁場発生装置に磁気力で吸引され、磁場発生装置を破損したりして、人を傷つけることを未然に防止することができる。
【００１３】
また、かかる目的を達成するためになされた請求項２記載の磁気特性警告器および警告システムは、少なくとも、磁束密度もしくは磁気力の磁気特性を計測する磁気特性計測手段への給電と、前記磁気特性計測手段で計測した磁気特性値の演算を行う給電・演算手段と、この演算値と所定の値との比較演算を行い、所定値との大小を判断して磁気的危険度を判断し警告発生を制御する制御手段とを有する給電・演算・制御手段と、前記給電・演算・制御手段で作動制御され、人間が感知できる視覚的警告手段や聴覚的警告手段等の警告手段と、前記視覚的警告手段に同期して前記視覚的警告手段よりも警告表示面積を広くした警告を発生する第二の視覚的警告手段と、前記手段を駆動させる電気を供給する電源供給手段と、被物体に物理的に付着させる付着手段とを備えたものである。
【００１４】
この結果、本発明の磁気特性警告器および警告システムによれば、人が磁場空間に設置または搬入する代表の被物体もしくは各被物体毎に磁気特性警告器を付着し、さらに第二の視覚的警告手段を、視野角度を広くして被物体に付着できるので、広角な範囲から警告を認知することができる。
【００１５】
このため、より多くの人に磁気的危険空間に存在する被物体を認知できるので、前記危険空間内から該当する被物体を外すことにより、電子機器が誤動作したり、破損したり、ガスボンベや、工具やステール椅子が磁場発生装置に磁気力で吸引され、磁場発生装置を破損したりして、人を傷つけることをさらに未然に防止することができる。
【００１６】
また、かかる目的を達成するためになされた請求項３記載の磁気特性警告器および警告システムは、前記被物体が存在する空間内の位置マーカーとなる位置情報無線発信手段と、請求項１記載の磁気特性警告器の構成に、さらに磁気特性警告器内において前記位置情報無線発信手段からの信号を受信し、受信位置を演算し、演算した位置情報と、前記制御警告手段で警告を発信したか否かの警告情報を無線で発信する位置・警告情報発信手段を備えたもので、位置・警告認知手段は、少なくとも該位置・警告情報を受信する受信手段と、受信した位置・警告情報により該磁気警告器を付帯した被物体と前記位置マーカーとの相対位置情報を解析処理し、３次元移動領域内の地図上に前記被物体の位置と警告の有無を表示する情報処理位置表示手段を備えたものである。
【００１７】
この結果、本発明の磁気特性警告器および警告システムによれば、磁場発生装置の励磁前の製作組立や保守点検に使用した電子機器や、ガスボンベや、工具や、ステール椅子の回収を忘れた際に、作業後磁場発生装置の電磁石を徐々に励磁する際、磁気的危険空間から離れた居室に設けられた前記位置・警告認知手段に警告の発生位置を被物体個別に表示できるので、前記情報処理位置表示手段を監視する人が警告を認知することができる。
【００１８】
このため、前記情報処理位置表示手段を監視する人が、磁気的危険空間から離れた所にいる人にその位置を連絡し、警告を発している被物体を磁気的危険空間から回収させたり、設置された被物体を磁気的危険空間から離したりできるので、置き忘れたり、適切な位置に設置していない被物体が磁気的危険空間内において、被物体の電子機器が誤動作したり、破損したり、ガスボンベや、工具やステール椅子が磁場発生装置に磁気力で吸引され、磁場発生装置を破損したりして、人を傷つけることを未然に防止することができる。
【発明の効果】
【００１９】
したがって、本発明になる磁気特性警告器および警告システムによれば、磁石装置設置場所に設置もしくは搬入する被物体の位置が、前記被物体毎に磁気的危険空間の内にあるかを音や光で表示、警告できるので、警告を認知し警告を発する被物体を磁気的危険空間から外すことにより、前記被物体の誤動作や、破損や、被物体の磁石装置への高速吸引等が生じ生じる、人身への傷害や被物体の損傷等の重大な障害が生じることを防止することができる。
【図面の簡単な説明】
【００２０】
【図１】本発明による実施例１の磁気特性警告器の構造を示す図である。
【図２】実施例１の磁気特性警告器および被物体の構成を示す図である。
【図３】超電導磁石装置の周りに３台の、実施例１の磁気特性警告器を付着した各被物体を設置した磁気特性警告器および警告システムの構成図である。
【図４】本発明による実施例２の磁気特性警告器の構造を示す図である。
【図５】本発明による実施例３の磁気特性警告器の構造を示す図である。
【図６】実施例３の磁気特性警告器および被物体の構成を示す図である。
【図７】本発明による実施例４の磁気特性警告器を付着した各被物体を含む磁気特性警告器および警告システムの構成図である。
【図８】実施例４の磁気特性警告器の構造を示す図である。
【図９】超電導磁石装置の周りに３台の実施例４の磁気特性警告器を付着した各被物体を設置した磁気特性警告器および警告システムの構成図である。
【実施例】
【００２１】
[実施例１]
図１は、本発明による磁気特性警告器の実施例１の構造を示す図で、図２は実施例１の磁気特性警告器および被物体の構成を示す図で、図３は超電導磁石装置の周りに３台の磁気特性警告器を付着した各被物体を含む磁気特性警告器および警告システムの構成図である。
【００２２】
図１、図２および図３において、磁気特性警告器1は、基盤２上に配置された磁気特性の１つである図中Ｘ，Ｙ，Ｚ軸方向の３軸の磁束密度を計測する磁気特性計測手段である、例えば磁気インピーダンス効果を利用した磁界検出素子を使用した３軸磁気センサー素子３と、前記３軸磁気センサー素子３に電気を供給する配線４、５と、３軸磁気センサー素子１で計測された磁束密度の測定電気信号を送信する配線６、７、８と、電源供給機能と磁束密度の測定電気信号を使用して磁気物性値を演算する給電・演算手段と、前記演算値が所定の値との比較演算を行い、所定値との大小を判断して磁気的危険度を判断し警告発生を制御する制御手段を有する給電・演算・制御手段である給電・演算・制御器９を有する。
【００２３】
さらに、磁気特性警告器1は、前記給電・演算・制御器９で作動を制御される警報手段である、例えば磁束密度の値の大きさに応じて発光色を制御される視覚的警告手段であるＬＥＤランプ１０と、警報手段である例えば磁束密度の値の大きさに応じて音量や音色等が制御される聴覚的警告手段であるブザー１４と、給電配線１１，１２と制御信号配線１３と、給電配線１５，１６と制御信号配線１７と、配線１８,１９で給電・演算・制御器９に給電する、蓄電機能等を有する電源供給手段である給電機器２０と、給電機器２０に着脱可能なコネクター２１で連結された給電用の給電コード２２と、各構成機器を固定した基盤２３と、これらを内蔵する透明な容器２４と、磁場空間で作業するために設置、搬入する前記被物体に対し、磁気特性警告器1を被物体に付着させるための付着手段である、例えば着脱可能な微細なフック付のテープである付着体２５で構成される。
【００２４】
本実施例では、図３に示すように超電導磁石装置２６の周りに３台の磁気特性警告器1を付着させた被物体を設置した場合を示す。本図は設置斜め上部から視た構成を示す。図３において、超電導磁石装置２６からの漏れ磁場空間内に存在する磁気的危険空間の領域近辺に設置された、被物体である電子機器２７、鋼鉄製のガスボンベ２８および磁性を有するスパナ等の工具が入った工具箱２９には、着脱可能な微細なフックに嵌合する微細なループ付のテープであって、被物体に接着一体化された付着体３０を接着剤等で一体化され、そこに前記付着体２５を貼り合わせて磁気特性警告器1が取り付けてある。磁気特性警告器1は、それぞれの設置位置での磁束密度を図１中のそれぞれの３軸磁気センサー素子３で測定し、３軸のそれぞれの磁束密度もしくは３軸成分のベクトルやスカラー量を給電・演算・制御器９で演算し、磁気的危険空間内であれば、各磁気特性警告器1の配置された位置での磁束密度の大きさを所定の値と比較し、所定の値を超えた場合、例えば磁束密度が５ガウスを超えた場合黄色で、１０ガウスを超えた場合には赤い色でＬＥＤランプ１０を点灯もしくは点滅させ、さらに磁束密度の大きさに準じた音量や音色は断続音をブザー１４から鳴らせて、周囲の人に警告を発する。
【００２５】
したがって、本実施例によれば、磁気特性警告器1を付着させて被物体毎に一体化して設置することにより、被物体毎に前記磁気的危険空間の存在を視覚的、聴覚的に警告できるので、どの被物体に障害を与える高い磁束密度や磁気力が存在する前記磁気的危険空間内にあるかを認知して、磁気的な障害を受ける被物体を的確に識別し、該被物体を前記磁気的危険空間から外すことにより、人や電子機器に磁気的な障害を与えないようにすることができる効果がある。
【００２６】
本実施例において、３軸磁気センサー素子３で磁束密度を測定し、３軸のそれぞれの磁束密度もしくは３軸成分のベクトルのスカラーの演算値を、給電・演算・制御器９からＬＥＤランプ１０により数値を光文字で点灯表示する場合においても、同様な効果が生じ、さらに磁束密度数値を認知させる効果が生じる。
【００２７】
また、本実施例において、各構成品を電気的に連結する信号線の本数は図面中に記載した本数とは異なる場合があり、この場合においても同様な効果が生じる。
【００２８】
[実施例２]
図４は、本発明による実施例２の磁気特性警告器３１の構成要素である、磁気特性の１つである３軸の磁気力を計測する例えば３軸デジタル磁気力センサー素子の構成を示す。図１と同一の構成品番号は同一の構成品である。
【００２９】
図１の構造との相違は、前記３軸磁気センサー素子３の近辺に、図中３軸Ｘ、Ｙ、Ｚ軸に対して、それぞれ所定の距離例えば数ｍｍ３軸磁気センサー素子３を基準にしてずらして接着剤等の非磁性物質を介して、基盤３２に固定された例えば同一仕様の３軸磁気センサー素子３３が固定されている。
【００３０】
磁気特性警告器３１には、基盤２上に配置された磁気特性である３軸の磁束密度を計測する３軸磁気センサー素子３と、前記３軸磁気センサー素子３に電気を供給する配線４、５（図示せず、図１と同一構成品を示す）と、３軸磁気センサー素子３で計測された磁束密度Bの測定値をデジタルで送信する配線６、７、８と、前記３軸磁気センサー素子３３に電気を供給する配線３４、３５と、３軸磁気センサー素子３３で計測された磁束密度Bの測定値をデジタルで送信する配線３６、３７、３８と、磁束密度Bの測定値を使用して演算した磁束密度値、もしくは2つの３軸磁気センサー素子３，３３で計測された磁束密度Bの各３軸Ｘ，Ｙ．Ｚ方向成分の計測値の差値と、それぞれの３軸Ｘ，Ｙ．Ｚ方向距離差とから磁気勾配ΔBおよび３軸各軸成分や合成ベクトルやスカラー量の磁気力係数fmや磁気力Fmを演算しそれぞれの警報値との大小比較を行うための演算をする給電・演算・制御器３９がある。
【００３１】
前記給電・演算・制御器３９への給電は、蓄電機能等を有する給電機器２０から配線１８，１９で行う。図４には、図１で示した透明な容器２４および付着体２５は表示していないが、ともに有している。
【００３２】
前記演算の結果により磁気勾配ΔBや磁気力係数fmや磁気力Fmの値と所定の値との大小を比較演算し、給電配線１１，１２と制御信号配線１３を通じて警報手段である発光色が、例えば磁気的危険度の度合いに対応して異なる色に発光するＬＥＤランプ１０やブザー１４を前記給電・演算・制御器３９を介して作動させる。
【００３３】
本実施例によれば、磁気特性警告器３１を付着させて被物体毎に一体化することにより、所定の磁気力が作用する前記磁気的危険空間の存在を、磁気力の大きさに準じて磁気特性警告器３１により視覚的、聴覚的に警告できるので、磁性体の工具等を内蔵した被物体や、鉄製のガスボンベ等の被物体や、磁性モータ等を内蔵した電子機器等の被物体に対して、磁気吸引力や電子機器への障害を与える被物体を個別に的確に識別し、該被物体を前記磁気的危険空間から外すことにより、人や電子機器に磁気力による障害を与えないようにすることができる効果がある。
【００３４】
なお、本実施例において、３軸磁気センサー素子３、３３で測定し、３軸のそれぞれの磁束密度Ｂもしくは磁気力係数fmや磁気力Fmの３軸成分のベクトル値の演算値を給電・演算・制御器３９からＬＥＤランプ１０により磁気力係数や磁気力の数値を光文字等により点灯表示する場合においても、同様な効果が生じる。
【００３５】
[実施例３]
図５は、本発明による実施例３の磁気特性警告器４０の構造を、図６は磁気特性警告器および被物体の構成を示す図である。図１と図２との同一の構造、構成品番号は同一の構成品である。
【００３６】
図１の構造との相違は、前記３軸磁気センサー素子３を有した磁気特性の計測部を有し、給電・演算・制御器９の演算結果により警告を発するＬＥＤランプ１０やブザー１４を作動させることは同一であるが、発光手段に別設のテープ状の発光体４１を有し、警告を発するのに同期して発光させるようにした構造にある。すなわち、可撓性の有るテープ状の発光体４１は、小型のＬＥＤ発光セグメント４２が複数配置され、配線４３，４４で給電され少なくとも警告を発するＬＥＤランプ１０やブザー１４に同期して、点滅や点灯して警告をＬＥＤランプ１０より広い発光面積で、かつＬＥＤランプ１０の発光方向とは異なった方角、例えばガスボンベの胴体に巻付けて全周方向に発光して警告を発することができる。
【００３７】
したがって本実施例によれば、より広い範囲の人に対して、付着した被物体毎に前記磁気的危険空間の存在を視覚的に警告できるので、どの被物体が磁気的障害を受けるかをさらに認知し易く、磁気的な障害を受ける被物体をさらに的確に識別し、該被物体を前記磁気的危険空間から外すことにより、人や電子機器に磁気的な障害をさらに与えないようにすることができる効果がある。
【００３８】
[実施例４]
図７は、実施例４の磁気特性警告器４５を付着した各被物体を含む磁気特性警告器および警告システムの構成図であり、図８は、磁気特性警告器４５の構造を示す図であり、図９は、超電導磁石装置の周りに３台の実施例４の磁気特性警告器を付着した各被物体を配置した磁気特性警告器および警告システムの構成図である。
【００３９】
図１および図２の構造、構成との相違は、位置情報無線発信手段である複数台の確定位置で電波を発信する発信機４７，４８と、前記発信機４７，４８からの信号を受信し、受信位置を演算し、演算した位置情報と、前記給電・演算・制御器９で警告を発信したか否かの警告情報を無線で発信する位置・警告情報発信手段である位置・警告情報発信器４６を備えたもので、位置・警告認知手段６０は、少なくとも該位置・警告情報を受信する受信手段である受信装置４９と、受信した位置・警告情報により該磁気警告器と位置マーカーとの相対位置情報を解析処理し、３次元移動領域内の地図上に警告の有無とともに表示する情報処理位置表示手段である液晶パネル等の表示器５０を備えたことにある。前記位置・警告情報発信器４６では、例えばＧＰＳ（全地球測位システム）と同様な位置情報を処理し、例えば緯度・経度・高度などを演算する。
【００４０】
図７、図８および図９において、磁気特性警告器４５内で位置・警告情報発信器４６は、給電機器２０から配線５１、５２で給電され、所定の位置に置かれた支持スタンド５３，５４で支持された発信機４７，４８からの位置信号を受けて、各磁気特性警告器４５の位置情報を演算処理して演算結果を無線発信するとともに、給電・演算・制御器９から配線５５，５６を通じて前記磁気的危険空間に有る場合に発する警告に同期した警告発生信号を受け、警告発生の有無を無線発信する。
【００４１】
各磁気特性警告器４６から無線発信された信号を受信装置４９のアンテナ５７で受信し、発信機４７、４８と各磁気特性警告器４５の相対位置を表示器５０に表示させる。
【００４２】
本実施例によれば、図９に示すように超電導磁石装置２６の励磁前の製作組立や保守点検に使用した磁気特性警告器４５付の電子機器２７や、ガスボンベ２８や、工具等を収めた工具箱２９の被物体の回収を忘れた場合に、作業後磁場発生装置の電磁石を徐々に励磁する際、例えば磁気的危険空間から離れた居室に設けられた表示器５０に警告の発生位置を、被物体毎に表示できるので、前記表示器５０を監視する人が警告を認知することができる。
【００４３】
このため、前記表示器５０を監視する人が、磁気的危険空間から離れたところにいる人にその位置を連絡し、警告を発している被物体を磁気的危険空間から回収させたり、設置された被物体を磁気的危険空間から離したりできるので、置き忘れたり、適切な位置に設置していない被物体が磁気的危険空間内において、被物体が超電導磁石装置２６に磁気力で吸引され、超電導磁石装置２６を破損したり、人を傷つけることを未然に防止することができる効果がある。
【００４４】
なお、本実施例の位置情報として位置確定用の複数の電波発信機が不要である、地磁気等の情報のみを取得してディバイス単体での位置を特定できる量子コンパスの技術で製造した素子を内蔵した位置・警告情報発信器を使用した構成であっても、同様な効果が生じる。
【００４５】
以上の実施例では、給電・演算・制御器９において警告を発生する磁束密度Ｂや磁気力係数fmや磁気力Fmの閾値を任意に可変、設定できる手段を設けても同様の効果が生じる。また、以上の実施例では、磁気センサーとしてアモルファス・ワイヤ等を利用する磁気インピーダンス方式のセンサーを用いた例で説明したが、代わりにホール素子やSQUOID素子や磁気抵抗素子やコイルに磁束を通して誘導電流を検知するフラックス・ゲート方式のセンサーを用いても同様な効果がある。
【００４６】
また、以上の実施例では、光による警告手段としてＬＥＤライトを使用した場合について説明したが、他の光源として例えばレーザー光や有機ＥＬ発光物による警告手段を用いても同様な効果が生じる。
【００４７】
また、以上の実施例では、主に漏れ磁場発生源が超電導磁石や永久磁石であることで説明したが、漏れ磁場発生源が常電動磁石である場合においても同様な効果がある。
【００４８】
また、以上の実施例では、磁気特性警告器４５を被物体に付帯させて磁気特性を計測する場合について説明したが、磁気特性警告器４５を人が携帯し、予め磁場空間を歩行移動することにより、歩行位置における測定された磁気特性を給電・演算・制御器９から位置・警告情報発信器４６に伝送し、位置・警告情報発信器４６から磁気特性と位置情報を無線発信し、その信号を受信装置４９のアンテナ５７で受信し、発信機４７、４８と移動する磁気特性警告器４５の相対位置を表示器５０に表示させ、磁場空間の磁気分布マップを予め作成させ、磁気的危険空間の範囲を表示させて、監視人が磁気特性警告器４５を付着させた被物体の安全な設置位置を確認したり、作業する人に予め磁気的危険空間を避けて設置するように指示することで、被物体が磁気的障害を受けることや、被物体が超電導磁石装置２６に磁気力で吸引され、超電導磁石装置２６を破損することや、人が傷つけられることをさらに未然に防止することができる効果がある。
【符号の説明】
【００４９】
１、３１、４０、４５・・磁気特性警告器、２、２３、３２・・基盤、３、３３・・３軸磁気センサー素子、９、３９・・給電・演算・制御器、１０・・ＬＥＤランプ、１４・・ブザー、２０・・給電機器、２１・・・コネクター、２４・・容器、２５・・付着体、２６・・超電導磁石装置、２７・・電子機器、２８・・ガスボンベ、２９・・工具箱、３０・・付着体、４１・・発光体、４２・・発光セグメント、４６・・位置・警告情報発信器、４７，４８・・発信機、４９・・受信装置、５０・・表示器、５３，５４・・スタンド、６０・・位置・警告認知手段
【図１】
2016044975.tif 000003
【図２】
2016044975.tif 000004
【図３】
2016044975.tif 000005
【図４】
2016044975.tif 000006
【図５】
2016044975.tif 000007
【図６】
2016044975.tif 000008
【図７】
2016044975.tif 000009
【図８】
2016044975.tif 000010
【図９】
2016044975.tif 000011